(57)【要約】    【課題】  水に溶解し得る銅成分を水に溶解し得る銅成分を比較的簡便に、且つ効率よく回収できる廃水処理方法を提供することにある。    【解決手段】  水に溶解し得る銅成分を含有する廃水に凝集剤を添加し、該廃水から凝集沈殿物を分離除去して、凝集沈殿処理水をうる凝集沈殿処理工程と、  前記凝集沈殿処理水を活性炭処理する活性炭処理工程とを実施することを特徴とする廃水処理方法を提供する。【選択図】  図１
2009226244.tif 000002
【特許請求の範囲】
【請求項１】
水に溶解し得る銅成分を含有する廃水に凝集剤を添加し、該廃水から凝集沈殿物を分離除去して、凝集沈殿処理水をうる凝集沈殿処理工程と、
前記凝集沈殿処理水を活性炭処理する活性炭処理工程とを実施することを特徴とする廃水処理方法。
【請求項２】
前記活性炭処理工程の前に前記凝集沈殿処理水のｐＨを５．０以上に調整する凝集沈殿処理水ｐＨ調整工程を実施する請求項１記載の廃水処理方法。
【請求項３】
前記活性炭処理工程の前に前記凝集沈殿処理水をろ過する凝集沈殿処理水ろ過工程を実施する請求項１又は２に記載の廃水処理方法。
【請求項４】
前記凝集沈殿処理工程の前に前記廃水のｐＨを９．０〜１１．０に調整する廃水ｐＨ調整工程を実施する請求項１〜３の何れかに記載の廃水処理方法。
【請求項５】
水に溶解し得る銅成分を含有する廃水に凝集剤を添加し、該廃水から凝集沈殿物を分離除去して、凝集沈殿処理水をうる凝集沈殿処理手段と、
前記凝集沈殿処理水を活性炭処理する活性炭処理手段とを備えていることを特徴とする廃水処理装置。
【請求項６】
前記活性炭処理前の前記凝集沈殿処理水をろ過する凝集沈殿処理水ろ過手段を備えている請求項５に記載の廃水処理装置。
【発明の詳細な説明】
【技術分野】
【０００１】
本発明は、廃水処理方法および廃水処理装置に関する。例えば、プリント基板工場等から排出される無電解銅めっき水洗水等の、銅イオン及び銅錯体等の水に溶解し得る銅成分を含有する廃水の廃水処理方法に関する。
【背景技術】
【０００２】
従来、この種の廃水の廃水処理方法としては、ｐＨを調整した廃水に凝集剤を添加して凝集物を生じさせ、該凝集物を沈殿させて銅イオン等の銅成分を回収する廃水処理方法が知られている（特許文献１）。特許文献１のごとく廃水に凝集剤を添加する廃水処理方法は、水に溶解し得る銅成分が凝集物となって沈殿し、沈殿した凝集物（凝集沈殿物）として銅成分が回収されるため、比較的簡便な、銅成分が回収される廃水処理方法であるが、例えば無電解銅めっき水洗水等に含まれる銅錯体が凝集物となって沈殿しにくいため、凝集沈殿処理水に残りやすく、銅錯体等の銅成分が回収されにくい。
【０００３】
一方、銅錯体をも回収し得る廃水の廃水処理方法としては、キレート樹脂、活性炭等の捕集材を用いる廃水処理方法が知られている。
例えば、捕集材としてキレート樹脂を用いる廃水処理方法としては、廃水に含まれている銅成分をヘテロ分散性キレート樹脂に吸着させて回収する廃水処理方法が提案されている（特許文献２）。また、捕集材として活性炭を用いる廃水処理方法としては、例えば、廃水に含まれている銅成分を活性炭に吸着させて回収する廃水処理方法が提案されている（特許文献３）。
【０００４】
しかしながら、特許文献２又は特許文献３のごとく、捕集材を用いる廃水処理方法は、銅イオン及び銅錯体等の水に溶解し得る銅成分が廃水中に比較的多く含まれている場合など、捕集材が銅成分等を吸着できる限界を超えやすく、銅成分の吸着ができなくなる頻度が高くなりやすい。従って、捕集材の頻繁な交換や再生が必要となりやすく、廃水処理が煩雑なものとなりやすいという問題を有している。
【０００５】
そこで、銅イオン及び銅錯体等の水に溶解し得る銅成分を含有する廃水の廃水処理方法であって、銅成分を比較的簡便に、且つ効率よく低減できる廃水処理方法が要望されている。
【０００６】
【特許文献１】特開平７−８８４８０公報
【特許文献２】特開２００２−３６３２１６号公報
【特許文献３】特開２００５−１１１２９６号公報
【発明の開示】
【発明が解決しようとする課題】
【０００７】
本発明は、上記問題点、要望点等に鑑み、水に溶解し得る銅成分を比較的簡便に回収できる廃水処理方法を提供することにある。
【課題を解決するための手段】
【０００８】
上記課題を解決すべく、本発明に係る廃水処理方法は、水に溶解し得る銅成分を含有する廃水に凝集剤を添加し、該廃水から凝集沈殿物を分離除去して、凝集沈殿処理水をうる凝集沈殿処理工程と、前記凝集沈殿処理水を活性炭処理する活性炭処理工程とを実施することを特徴とする。
【０００９】
上記構成からなる廃水処理方法によれば、水に溶解し得る銅イオン等の銅成分を凝集剤によって凝集させて凝集沈殿物とし、これを廃水から分離除去するとともに、活性炭の吸着能力を低下させる成分も凝集沈殿物として除去することができるため、凝集沈殿処理水に含有される銅成分及び活性炭の吸着能力を低下させる成分の量を、前記廃水に含まれていた量よりも少なくすることができる。従って、前記活性炭処理工程で前記廃水より銅成分及び活性炭の吸着能力を低下させる成分の少ない前記凝集沈殿処理水を活性炭処理することにより、活性炭は銅錯体を吸着できる限界に達しにくくなる。即ち、活性炭が破過しにくくなり、活性炭の交換や再生の回数を減らすことができる。しかも、銅錯体を活性炭に吸着させることができ、銅錯体が吸着された活性炭を回収することにより、前記凝集沈殿処理水に含有されている銅錯体を回収することができる。
【００１０】
本発明に係る廃水処理方法は、前記活性炭処理工程の前に前記凝集沈殿処理水のｐＨを５．０以上に調整する凝集沈殿処理水ｐＨ調整工程を実施することが好ましい。
前記活性炭処理工程の前に前記凝集沈殿処理水のｐＨを５．０以上に調整する凝集沈殿処理水ｐＨ調整工程を実施することにより、廃水処理に用いる機器等が酸により腐食されることが抑制されるという利点がある。さらに、より酸性側にｐＨ調整する従来の廃水処理方法よりも、酸性にする薬品の使用量を抑えることもできるという利点もある。
また、前記活性炭処理工程Ｓ５の前に前記凝集沈殿処理水のｐＨを１１．０以下に調整する凝集沈殿処理水ｐＨ調整工程Ｓ３を実施することにより、廃水処理に用いる機器等がアルカリにより腐食されることが抑制されるという利点がある。さらに、前記凝集沈殿処理工程Ｓ２の前に前記廃水のｐＨを９．０〜１１．０に調整する廃水ｐＨ調整工程Ｓ１を実施した場合には、よりアルカリ側に調整する必要がなく、アルカリ性にする薬品の使用量を抑えることもできるという利点もある。
さらに、浄化水の銅成分の濃度を１．０ｍｇ／Ｌ以下とすることを目標値とした場合、すなわち、浄化水の銅成分の濃度が１．０ｍｇ／Ｌを超える前に活性炭を交換するような場合には、前記活性炭処理工程Ｓ５の前に前記凝集沈殿処理水のｐＨを５．０〜８．０に調整する凝集沈殿処理水ｐＨ調整工程Ｓ３を実施することにより、一層活性炭によって銅成分が除去されやすくなるという利点がある。
【００１１】
また、本発明に係る廃水処理方法は、前記活性炭処理工程の前に前記凝集沈殿処理水をろ過する凝集沈殿処理水ろ過工程を実施することが好ましい。前記活性炭処理工程の前に前記凝集沈殿処理水をろ過する凝集沈殿処理水ろ過工程を実施することにより、凝集沈殿処理水に含まれる懸濁物質（ＳＳ）が除去されるため、活性炭の吸着能力を低下させるであろうＳＳが低減され、活性炭の吸着能力をより持続させることができる。したがって、活性炭の吸着能力が有効に発揮され、活性炭の交換頻度が低減されるという利点がある。
【００１２】
更に、本発明に係る廃水処理方法は、前記凝集沈殿処理工程の前に前記廃水のｐＨを９．０〜１１．０に調整する廃水ｐＨ調整工程を実施することが好ましい。前記凝集沈殿処理工程の前に前記廃水のｐＨを９．０〜１１．０に調整する廃水ｐＨ調整工程を実施することにより、前記凝集沈殿処理工程において、より確実に銅成分を回収できるという利点がある。
【００１３】
本発明に係る廃水処理装置は、水に溶解し得る銅成分を含有する廃水に凝集剤を添加し、該廃水から凝集沈殿物を分離除去して、凝集沈殿処理水をうる凝集沈殿処理手段と、前記凝集沈殿処理水を活性炭処理する活性炭処理手段とを備えていることを特徴とする。
更に、前記活性炭処理手段の前に前記凝集沈殿処理水をろ過する凝集沈殿処理水ろ過手段を備えていることを特徴とする。
【発明の効果】
【００１４】
本発明によれば、水に溶解し得る銅成分を比較的簡便に、且つ効率よく回収できる廃水処理方法を提供することができる。
【発明を実施するための最良の形態】
【００１５】
以下、本発明に係る廃水処理方法の一実施形態について、図面を参照しつつ説明する。本実施形態の廃水処理方法は、以下に述べる各工程を実施する。
【００１６】
本実施形態における廃水処理方法は、水に溶解し得る銅成分を含有する廃水に凝集剤を添加し、該廃水から凝集沈殿物を分離除去して、凝集沈殿処理水をうる凝集沈殿処理工程と、前記凝集沈殿処理水を活性炭処理する活性炭処理工程とを実施する。
さらに、必要に応じて、前記凝集沈殿処理工程の前に前記廃水のｐＨを９．０〜１１．０に調整する廃水ｐＨ調整工程を実施する。また、前記活性炭処理工程の前に前記凝集沈殿処理水のｐＨを５．０以上に調整する凝集沈殿処理水ｐＨ調整工程を実施する。さらに、前記活性炭処理工程の前に前記凝集沈殿処理水をろ過する凝集沈殿処理水ろ過工程を実施する。
【００１７】
詳しくは、本実施形態の廃水処理方法は、図１に示すように、水に溶解し得る銅成分を含有する廃水のｐＨを９．０〜１１．０に調整する廃水ｐＨ調整工程Ｓ１と、前記ｐＨ調整された廃水に凝集剤を添加し、該廃水から凝集沈殿物を分離除去して、凝集沈殿処理水をうる凝集沈殿処理工程Ｓ２と、前記凝集沈殿処理水のｐＨを５．０以上に調整する凝集沈殿処理水ｐＨ調整工程Ｓ３と、前記ｐＨ調整された凝集沈殿処理水をろ過する凝集沈殿処理水ろ過工程Ｓ４と、前記ろ過された凝集沈殿処理水を活性炭処理する活性炭処理工程Ｓ５とを実施する。
【００１８】
前記廃水ｐＨ調整工程Ｓ１では、水に溶解し得る銅成分を含有する廃水のｐＨに応じて、適宜前記廃水に酸又はアルカリを添加して、前記廃水のｐＨを９．０〜１１．０に調整する。また、より好ましくは、前記廃水のｐＨを９．５〜１０．５に調整する。
【００１９】
前記銅成分は、銅を含む化学物質であり、例えば、銅イオン、銅錯体等が挙げられる。
【００２０】
前記廃水は、水に溶解し得る銅成分を含有する廃水であり、例えば、プリント基板工場等から排出されるメッキ工場廃水、化学工場廃水、製鉄所廃水、精錬所廃水、鉱山廃水、ゴミ場廃水等である。
【００２１】
酸及びアルカリとしては、通常、水溶液のｐＨ調整に用いられるものを用いることができる。酸としては、例えば、硝酸、硫酸、塩酸等が挙げられる。アルカリとしては、水酸化ナトリウム等が挙げられる。
【００２２】
前記廃水ｐＨ調整工程Ｓ１によれば、前記凝集沈殿処理工程Ｓ２の前に前記廃水のｐＨを９．０〜１１．０に調整する廃水ｐＨ調整工程を実施することにより、前記凝集沈殿処理工程Ｓ２において、より確実に銅成分を回収できるという利点がある。
【００２３】
前記凝集沈殿処理工程Ｓ２では、前記ｐＨ調整された廃水に凝集剤を添加し、該廃水から凝集沈殿物を分離除去して、凝集沈殿処理水をうる。
【００２４】
廃水から凝集沈殿物を分離する方法としては、公知の方法を用いることができるが、例えば、自然沈降により廃水から凝集沈殿物を分離する方法や、後述する凝集沈殿処理水ろ過処理工程Ｓ４と同様なろ過処理法を用いることができる。
【００２５】
凝集剤としては、通常、廃水処理で用いられている凝集剤を用いることができるが、例えば、ポリ硫酸第二鉄、硫酸アルミニウム、ポリ塩化アルミニウム、塩化第二鉄等に代表される無機系凝集剤、界面活性剤等の低分子凝集剤、アニオン性、弱アニオン性、ノニオン性、又はカチオン性の高分子凝集剤等が挙げられる。また、これらを単独で、あるいは複数種を組み合わせて用いることができる。
【００２６】
廃水に対する凝集剤の添加量は、特に限定されるものではなく、廃水の汚染状況に応じて適宜添加量を変更することが可能である。
廃水が無電解銅めっき水洗水で、凝集剤がポリ硫酸第二鉄の場合には、該廃水の汚染状況にもよるが、通常、経済性（コスト）等の観点から、通常、該廃水１トンに対し、前記凝集剤を０．３〜５ｋｇ添加することが好ましい。
【００２７】
前記凝集沈殿処理工程Ｓ２を実施することによって、水に溶解し得る銅イオン等の銅成分を凝集剤によって凝集させて凝集沈殿物とし、これを廃水から分離除去するとともに、活性炭の吸着能力を低下させる成分も凝集沈殿物として除去することができるため、凝集沈殿処理水に含有される銅成分及び活性炭の吸着能力を低下させる成分の量を、前記廃水に含まれていた量よりも少なくすることができる。従って、前記活性炭処理工程Ｓ５で前記廃水より銅成分及び活性炭の吸着能力を低下させる成分の少ない前記凝集沈殿処理水を活性炭処理することにより、活性炭は銅錯体を吸着できる限界に達しにくくなる。即ち、活性炭が破過しにくくなり、活性炭の交換や再生の回数を減らすことができる。しかも、銅錯体を活性炭に吸着させることができ、銅錯体が吸着された活性炭を回収することにより、前記凝集沈殿処理水に含有されている銅錯体を回収することができる。
【００２８】
前記凝集沈殿処理水ｐＨ調整工程Ｓ３では、前記凝集沈殿処理水のｐＨに応じて、適宜前記廃水に酸又はアルカリを添加して、前記廃水のｐＨを５．０以上に調整する。また、より好ましくは、前記廃水のｐＨを１１．０以下に調整する。さらに、より好ましくは、前記廃水のｐＨを６．０〜８．０に調整する。
【００２９】
酸及びアルカリとしては、通常、水溶液のｐＨ調整に用いられるものを用いることができる。酸としては、例えば、硝酸、硫酸、塩酸等が挙げられる。アルカリとしては、水酸化ナトリウム等が挙げられる。
【００３０】
前記凝集沈殿処理水ｐＨ調整工程Ｓ３によれば、前記活性炭処理工程Ｓ５の前に前記凝集沈殿処理水のｐＨを５．０以上に調整する凝集沈殿処理水ｐＨ調整工程Ｓ３を実施することにより、廃水処理に用いる機器等が酸により腐食されることが抑制されるという利点がある。さらに、より酸性側にｐＨ調整する従来の廃水処理方法よりも、酸性にする薬品の使用量を抑えることもできるという利点もある。
また、前記活性炭処理工程Ｓ５の前に前記凝集沈殿処理水のｐＨを１１．０以下に調整する凝集沈殿処理水ｐＨ調整工程Ｓ３を実施することにより、廃水処理に用いる機器等がアルカリにより腐食されることが抑制されるという利点がある。さらに、前記凝集沈殿処理工程Ｓ２の前に前記廃水のｐＨを９．０〜１１．０に調整する廃水ｐＨ調整工程Ｓ１を実施した場合には、よりアルカリ側に調整する必要がなく、アルカリ性にする薬品の使用量を抑えることもできるという利点もある。
さらに、浄化水の銅成分の濃度を１．０ｍｇ／Ｌ以下とすることを目標値とした場合、すなわち、浄化水の銅成分の濃度が１．０ｍｇ／Ｌを超える前に活性炭を交換するような場合には、前記活性炭処理工程Ｓ５の前に前記凝集沈殿処理水のｐＨを５．０〜８．０に調整する凝集沈殿処理水ｐＨ調整工程Ｓ３を実施することにより、一層活性炭によって銅成分が除去されやすくなるという利点がある。
【００３１】
前記凝集沈殿処理水ろ過処理工程Ｓ４では、前記ｐＨ調整された凝集沈殿処理水をろ過器でろ過する。
【００３２】
ろ過器としては、通常ろ過に用いられるものを制限されることなく使用することができ、例えば、砂、不織布、金網、多孔性のカーボン、アンスラサイト（無煙炭）、セラミックス、焼結金属等の各種のろ過材により形成されたものが挙げられる。また、限外ろ過膜等による膜ろ過器も適用可能である。
【００３３】
前記凝集沈殿処理水ろ過処理工程Ｓ４によれば、凝集沈殿処理水に含まれる懸濁物質（ＳＳ）が除去されるため、活性炭の吸着能力を低下させるであろうＳＳが低減され、活性炭の吸着能力をより持続させることができる。したがって、活性炭の吸着能力が有効に発揮され、活性炭の交換頻度が低減されるという利点がある。
【００３４】
前記活性炭処理工程Ｓ５では、前記ろ過された凝集沈殿処理水を活性炭で活性炭処理し、浄化水を回収する。
【００３５】
活性炭としては、通常廃水処理に用いられる活性炭を制限されることなく使用することができ、例えば、木材、果実殻、繊維、亜炭、石炭及び石油等を原料とするものが挙げられる。
活性炭の形状としては、例えば、粉末状、粒状、繊維状等のものが挙げられる。
【００３６】
粉末状の活性炭を用いる場合、前記活性炭処理工程Ｓ５では、例えば、撹拌槽等において、前記廃水と該活性炭とを撹拌して、該活性炭に前記廃水に含まれている銅成分を吸着する。
【００３７】
また、粒状、又は繊維状の活性炭を用いる場合、前記活性炭処理工程Ｓ５では、例えば、該活性炭によって形成された充填槽に廃水を通水することによって、該活性炭に前記廃水に含まれている銅成分を吸着する。
【００３８】
前記活性炭処理工程Ｓ５によれば、銅錯体を活性炭に吸着させることができ、銅錯体が吸着された活性炭を回収することにより、前記凝集沈殿処理水に含有されている銅錯体を回収することができる。
【００３９】
本実施形態における廃水処理方法は、上記の通りであるが、本発明は上記実施形態に限定されず、適宜変更可能である。
【００４０】
次に、本実施形態における廃水処理装置について説明する。
本実施形態における廃水処理装置は、水に溶解し得る銅成分を含有する廃水に凝集剤を添加し、該廃水から凝集沈殿物を分離除去して、凝集沈殿処理水をうる凝集沈殿処理手段と、前記凝集沈殿処理水を活性炭処理する活性炭処理手段とを備えている。
【００４１】
斯かる構成の廃水処理装置によれば、水に溶解し得る銅イオン等の銅成分を凝集剤によって凝集させて凝集沈殿物とし、これを廃水から分離除去するとともに、活性炭の吸着能力を低下させる成分も凝集沈殿物として除去することができるため、凝集沈殿処理水に含有される銅成分及び活性炭の吸着能力を低下させる成分の量を、前記廃水に含まれていた量よりも少なくすることができる。従って、前記活性炭処理手段で前記廃水より銅成分及び活性炭の吸着能力を低下させる成分の少ない前記凝集沈殿処理水を活性炭処理することにより、活性炭は銅錯体を吸着できる限界に達しにくくなる。即ち、活性炭が破過しにくくなり、活性炭の交換や再生の回数を減らすことができる。しかも、銅錯体を活性炭に吸着させることができ、銅錯体が吸着された活性炭を回収することにより、前記凝集沈殿処理水に含有されている銅錯体を回収することができる。
【００４２】
さらに、必要に応じて、前記凝集沈殿処理手段により廃水に凝集剤を添加して凝集沈殿物と凝集沈殿処理水とを生じさせる前に前記廃水のｐＨを９．０〜１１．０に調整する廃水ｐＨ調整手段を備えている。また、前記活性炭処理前の前記凝集沈殿処理水のｐＨを５．０以上に調整する凝集沈殿処理水ｐＨ調整手段を備えている。さらに、前記活性炭処理前の前記凝集沈殿処理水をろ過する凝集沈殿処理水ろ過手段を備えている。
【実施例】
【００４３】
次に実施例を挙げて本発明を更に詳しく説明するが、本発明はこれらに限定されるものではない。
【００４４】
実施例１
表１に示す銅成分濃度（Ｃｕ濃度換算）（以下、単に「銅成分濃度」ともいう。）、化学的酸素要求量（ＣＯＤ）、及びＳＳ濃度の廃水に水酸化ナトリウム水溶液を添加して、ｐＨを約１０に調整した。
前記ｐＨ約１０に調整された廃水１Ｌに対して、凝集剤としてポリ硫酸第二鉄１０００ｍｇを添加して、該廃水から凝集沈殿物を分離除去して、凝集沈殿処理水を得た。
前記凝集沈殿処理水に硫酸を添加して、ｐＨを約７に調整した。
前記ｐＨ約７に調整された凝集沈殿処理水をろ過材が砂及びアンスラサイトのろ過器でろ過した。
前記ろ過した凝集沈殿処理水を、活性炭（商品名：ダイヤホープ００６、三菱化学社製）０．２５Ｌを充填した活性炭吸着層に、流量１Ｌ／ｈで通水し、浄化水を回収した。
【００４５】
比較例１
実施例１の活性炭０．２５Ｌをキレート樹脂０．２５Ｌ（商品名：エポラスＭＸ−８Ｃ、ミヨシ油脂社製）に代えた以外は、実施例１と同じ廃水を実施例と同じ方法で処理し、浄化水を回収した。
【００４６】
試験例１
実施例１及び比較例１の浄化水の銅成分濃度、ＣＯＤ、及びＳＳ濃度を測定した。表１にその結果を示す。
尚、銅成分濃度は、工場廃水試験方法（ＪＩＳ  Ｋ  ０１０２）に従い、ＩＣＰ発光分光分析法によって測定した。また、ＣＯＤ、及びＳＳ濃度は、工場廃水試験方法（ＪＩＳ  Ｋ  ０１０２）に従って測定した。
【００４７】
【表１】
2009226244.tif 000003
【００４８】
表１に示すように、捕集材として活性炭を用いた実施例１の廃水処理方法によって得られた浄化水の銅濃度は、捕集材としてキレート樹脂を用いた比較例１の廃水処理方法によって得られた浄化水の銅濃度よりも低い値を示した。
【００４９】
実施例２〜５及び比較例２
凝集沈殿処理水（銅成分濃度：４．８ｍｇ／Ｌ、ｐＨ：６．７）に、活性炭（商品名：ダイヤホープ００６Ｎ、三菱化学社製）（２００メッシュ篩通過微粉炭）を２００、５００、１０００、２０００ｍｇ／Ｌとなるようにそれぞれ添加し、それぞれ活性炭を添加した凝集沈殿処理水を温度２０℃、振とう数１５０ｒｐｍで１８時間振とうし、その後、凝集沈殿処理水から活性炭を取り除いて実施例２〜５の浄化水をそれぞれ得た。また、活性炭を添加しなかったこと以外は実施例２〜５の浄化水と同様にして比較例２の浄化水を得た。
【００５０】
実施例６〜８及び比較例３
活性炭を添加する前に、凝集沈殿処理水（銅成分濃度：４．８ｍｇ／Ｌ、ｐＨ：６．７）に硫酸を添加してｐＨを３．０に調整し、活性炭（商品名：ダイヤホープ００６Ｎ、三菱化学社製）（２００メッシュ篩通過微粉炭）を４００、１０００、２０００ｍｇ／Ｌとなるようにそれぞれ添加したこと以外は、実施例２〜５と同様の方法で、実施例６〜８の浄化水をそれぞれ得た。また、活性炭を添加しなかったこと以外は実施例６〜８の浄化水と同様にして比較例３の浄化水を得た。
【００５１】
実施例９〜１２及び比較例４
活性炭を添加する前に、凝集沈殿処理水（銅成分濃度：４．８ｍｇ／Ｌ、ｐＨ：６．７）に硫酸を添加してｐＨを１０．０に調整し、活性炭（商品名：ダイヤホープ００６Ｎ、三菱化学社製）（２００メッシュ篩通過微粉炭）を２００、４００、１０００、２０００ｍｇ／Ｌとなるようにそれぞれ添加したこと以外は、実施例２〜５と同様の方法で、実施例９〜１２の浄化水をそれぞれ得た。また、活性炭を添加しなかったこと以外は実施例９〜１２の浄化水と同様にして比較例４の浄化水を得た。
【００５２】
試験例２
実施例２〜１２及び比較例２〜４の各浄化水の銅成分濃度を試験例１と同様の方法で測定した。表２にその結果を示す。
尚、表２において残存Ｃｕ（ｍｇ／Ｌ）は、浄化水に残存した銅成分濃度を示し、吸着Ｃｕ（ｍｇ／Ｌ）は、銅成分が活性炭に吸着したことによって、浄化水から除去された分の浄化水に対する銅成分濃度を示し、吸着Ｃｕ（ｍｇ−Ｃｕ／ｇ−ＡＣ）は、単位活性炭重量当たりの銅成分の吸着量を示している。
【００５３】
【表２】
2009226244.tif 000004
【００５４】
表２に示すように、同じ活性炭の添加量で処理した浄化水同士で比較した場合、凝集沈殿処理水をｐＨ３．０にｐＨ調整した後に活性炭処理した実施例６〜８の浄化水に残存した銅成分濃度に比して、ｐＨ６．７の凝集沈殿処理水を活性炭処理した実施例２〜５、及び凝集沈殿処理水をｐＨ１０．０にｐＨ調整した後に活性炭処理した実施例９〜１２の浄化水に残存した銅成分濃度は、低い値を示した。すなわち、凝集沈殿処理水がｐＨ５未満の時には、該凝集沈殿処理水を活性炭処理する前にｐＨ５．０以上にｐＨ調整する方が、より活性炭によって銅成分が除去されやすくなることが示された。
また、浄化水に残存した銅成分濃度が１．０ｍｇ／Ｌ以下となったもののうち、同じ活性炭の添加量で処理した浄化水同士を比較した場合、凝集沈殿処理水をｐＨ１０．０にｐＨ調整した後に活性炭処理した実施例１１、１２の浄化水に残存した銅成分濃度に比して、ｐＨ６．７の凝集沈殿処理水を活性炭処理した実施例４、５の浄化水に残存した銅成分濃度の方が低い値を示した。すなわち、浄化水に残存する銅成分の濃度を１．０ｍｇ／Ｌ以下とすることを目標値とした場合（浄化水の銅成分の濃度が１．０ｍｇ／Ｌを超える前に活性炭を交換するような場合）には、凝集沈殿処理水をｐＨ５．０〜８．０にｐＨ調整した後に活性炭処理する方が、より一層活性炭によって銅成分が除去されやすくなることが示された。
【図面の簡単な説明】
【００５５】
【図１】一実施形態における廃水処理方法のフロー。
【符号の説明】
【００５６】
Ｓ１：廃水ｐＨ調整工程、Ｓ２：凝集沈殿処理工程、Ｓ３：凝集沈殿処理水ｐＨ調整工程、Ｓ４：凝集沈殿処理水ろ過処理工程、Ｓ５：活性炭処理工程
【図１】
2009226244.tif 000005